(57)【要約】  中央部１５とその左右端縁に延設された左側面部１６及び右側面部１７を有するスタンド部１１の上縁に第１表示部１２を延設し、第１表示部１２の上縁に第２表示部１３を、第２表示部１３の上縁にフラップ部１４を延設し、第１表示部１２と左側面部１６、右側面部１７の境界部に切り込み１９、２０を設ける。使用時には、左側面部１６と右側面部１７を後方に折り返すと共に、第２表示部１３を折り返して第１表示部１２の後方に位置させ、フラップ部１４の端縁を左側面部１６と右側面部１７の上縁にそれぞれ設けられた係止溝２８、２９に差し込むことにより表示体１０を自立可能に組み立てることができる。また、不使用時には折り線１８、２１、２２、２３を組み立て時とは逆向きに折り曲げることでコンパクトに折り畳むことができる。
2011092971.tif 000002
【特許請求の範囲】
【請求項１】
所定形状に打ち抜かれた一枚のブランクシートを折り曲げて形成されるスタンド付き表示体であって、
a)中央板と、前記中央板の左端縁に折り線を介して延設された左側面板と、前記中央板の右端縁に折り線を介して延設された右側面板とを有するスタンド板と、
b)前記スタンド板の上縁に折り線を介して延設された第１表示板と、
c)前記第１表示板の上縁に折り線を介して延設された第２表示板と、
d)前記第２表示板の上縁に折り線を介して延設されたフラップ板と、
e)前記左側面板と第１表示板の境界部及び右側面板と第１表示板の境界部に設けられた切り込みと、
を有し、
前記左側面板と右側面板を後方に折り返すと共に、前記第２表示板を折り返して第１表示板の後方に位置させ、前記フラップ板の端縁を前記左側面板と右側面板の上縁にそれぞれ設けられた係止溝に差し込むことによって組み立てられることを特徴とするスタンド付き表示体。
【請求項２】
前記スタンド板、第１表示板、第２表示板、及びフラップ板の間の折り線が互いに平行であって、該折り線と直交する方向の寸法が、前記スタンド板及びフラップ板では前記第１表示板及び第２表示板よりも小さいことを特徴とする請求項１に記載のスタンド付き表示体。
【請求項３】
前記第２表示板とフラップ板の間の折り線を二本の平行な折り線で構成し、該二本の折り線の間隔を前記ブランクシートの厚さの２倍以上としたことを特徴とする請求項１又は２に記載のスタンド付き表示体。
【発明の詳細な説明】
【技術分野】
【０００１】
本発明は、店頭において商品の宣伝や広告等に用いられるスタンド付きの表示体に関する。
【背景技術】
【０００２】
スーパーマーケット、コンビニエンスストア、ドラッグストア、及び百貨店などの店頭では、商品の案内や販売促進のために所謂ポップ（POP：Point Of Purchase）広告が広く用いられている。こうしたポップ広告には、商品が陳列された陳列棚の前面に取り付けられるものや、陳列台の上に据え置かれるものなど、様々な形態のものがある。【０００３】
陳列棚に取り付けるタイプのポップ広告では、商品の出し入れの妨げにならないよう全体のサイズを小さくする必要があり、広告面積が制限される。これに対し、陳列台などの上に据え置かれるタイプのポップ広告では、こうした制限がないため広告面積を大きくすることができ、高いＰＲ効果を得ることができる。【０００４】
こうした据え置き型のポップ広告において広告表示のために用いられる表示体として、広告表示部の位置を高くして視認性を向上させるためのスタンドを備えたものがある。
【先行技術文献】
【特許文献】
【０００５】
【特許文献１】特開平11-352883（図2）
【発明の概要】
【発明が解決しようとする課題】
【０００６】
このようなスタンド付きの表示体は、更に、広告表示部とスタンドが一体に構成されたものと、広告表示部とスタンドが別体に構成されたものとに大別される。【０００７】
特許文献１には、所定形状に打ち抜かれた一枚のシート材から成るブランクを折り曲げて形成されるスタンド一体型の表示体が記載されている。こうしたスタンド一体型の表示体の場合、構造を簡単にして製造コストや組み立ての手間を低減できるという利点がある。しかしながら、上記特許文献１に記載のような、一枚のブランクシートの上部を平板状の広告表示部、下部をスタンド部とし、該スタンド部を立体的に折り曲げることによってスタンドを構成して成る表示体の場合、不使用時に広告表示部とスタンド部の間を横切るように折り畳み線を入れてブランクシートを折り畳んでしまうと、その後に、該ブランクシートを組み立てて使用する際に、該折り畳み線の部分から広告表示部が前後に倒れてしまう。そのため、従来のスタンド一体型の表示体は、不使用時にコンパクトに折り畳むことができず、保管スペースや搬送コストが嵩むという問題があった。【０００８】
一方、スタンド別体型の表示体の場合、不使用時には広告表示部とスタンド部を分離させてコンパクトに保管することができる。しかしながら、パーツが増える分、構造が複雑となり製造コストや組み立ての手間が増大するという問題がある。また、パーツが紛失するおそれもあり、保管時や搬送時の管理が煩雑になるという問題もある。【０００９】
本発明は上記の点に鑑みてなされたものであり、その目的とするところは、構造が簡単で安価に製造することができると共に組み立てが容易であり、且つ、不使用時にはコンパクトに折り畳むことができて保管や搬送が容易なスタンド付き表示体を提供することにある。
【課題を解決するための手段】
【００１０】
上記課題を解決するために成された本発明に係るスタンド付き表示体は、所定形状に打ち抜かれた一枚のブランクシートを折り曲げて形成されるスタンド付き表示体であって、
a)中央板と、前記中央板の左端縁に折り線を介して延設された左側面板と、前記中央板の右端縁に折り線を介して延設された右側面板とを有するスタンド板と、
b)前記スタンド板の上縁に折り線を介して延設された第１表示板と、
c)前記第１表示板の上縁に折り線を介して延設された第２表示板と、
d)前記第２表示板の上縁に折り線を介して延設されたフラップ板と、
e)前記左側面板と第１表示板の境界部及び右側面板と第１表示板の境界部に設けられた切り込みと、
を有し、
前記左側面板と右側面板を後方に折り返すと共に、前記第２表示板を折り返して第１表示板の後方に位置させ、前記フラップ板の端縁を前記左側面板と右側面板の上縁にそれぞれ設けられた係止溝に差し込むことによって組み立てられることを特徴としている。【００１１】
また、上記本発明に係るスタンド付き表示体は、前記スタンド板、第１表示板、第２表示板、及びフラップ板の間の折り線が互いに平行であって、該折り線と直交する方向の寸法が、前記スタンド板及びフラップ板では前記第１表示板及び第２表示板よりも小さくなるようにすることが望ましい。【００１２】
更に、上記本発明に係るスタンド付き表示体は、前記第２表示板とフラップ板の間の折り線を２本の平行な折り線で構成し、該２本の折り線の間隔を前記ブランクシートの厚さの２倍以上とすることが望ましい。
【発明の効果】
【００１３】
上記構成から成る本発明のスタンド付き表示体は、構造が簡単であるため、安価に製造することができると共に道具や接着剤等を用いずに簡単に組み立てることができる。更に、不使用時には、ブランクシートを展開して前記スタンド板、第１表示板、第２表示板、及びフラップ板の間にそれぞれ設けられた折り線で以て全体を折り畳むことにより、コンパクトな状態とすることができ、保管や搬送が容易である。また、使用時には、上記のように右側面板と左側面板を後方に折り曲げることで自立可能なスタンドが形成され、更に、第２表示板を折り返して第１表示板の後方に位置させ、フラップ板を係止溝に差し込むことにより、第１表示板と第２表示板が断面山形形状を成した状態でスタンド上に固定される。そのため、上記のようにスタンド板と第１表示板の間に折り線を設けても該折り線の部分から第１表示板及び第２表示板が前後に倒れることがない。【００１４】
更に、上記のようにスタンド板、第１表示板、第２表示板、及びフラップ板の間の折り線を互いに平行とし、スタンド板及びフラップ板の長さを第１表示板及び第２表示板よりも小さくした場合には、スタンド板を第１表示板、第２表示板、及びフラップ板で包むようにして全体を折り巻くことにより、両端部が開放された封筒状の形状とすることができるため、不使用時の取り扱いが容易となる。また、その際、広告等が表示される面（広告面）が内側を向くようにすることで該広告面を保護することができるため、保管時や搬送時にブランクシートを外装ケース等に収容する必要がなく、省資源化及び省コスト化を図ることができる。【００１５】
また更に、上記のように第２表示板とフラップ板の間の折り線を二本の平行な折り線で構成した場合には、ブランクシートを折り畳む際に、前記二本の折り線で挟まれた領域が襠の役割を果たすため、ブランクシートを段ボール紙のような厚手の素材で構成した場合であっても平坦に折り畳むことができる。
【図面の簡単な説明】
【００１６】
【図１】本発明の一実施例に係るスタンド付き表示体を斜め前方から見た状態を示す斜視図。
【図２】同実施例に係るスタンド付き表示体を斜め後方から見た状態を示す斜視図。
【図３】同実施例に係るスタンド付き表示体の側面図。
【図４】同実施例に係るスタンド付き表示体の展開図。
【図５】同実施例に係るスタンド付き表示体の折り畳み方法を説明する平面図。
【図６】同実施例に係るスタンド付き表示体の折り畳み方法を説明する平面図。
【図７】同実施例に係るスタンド付き表示体の折り畳み方法を説明する平面図。
【図８】同実施例に係るスタンド付き表示体を折り畳んだ状態を示す平面図。
【図９】図８のＸ−Ｘ矢視断面図。
【発明を実施するための形態】
【００１７】
以下、本発明の一実施例に係るスタンド付き表示体について図面を参照して説明する。図１、２は、本実施例に係るスタンド付き表示体の斜視図であって、図１は斜め前方から見た状態を、図２は斜め後方から見た状態を示している。図３は前記表示体の側面図である。図４は前記表示体の展開図である。
【００１８】
本実施例に係るスタンド付き表示体１０は、大きく分けてスタンド部１１、第１表示部１２、第２表示部１３、及びフラップ部１４で構成される。以下、本実施例に係るスタンド付き表示体１０を組み立てた状態で第１表示部１２の正面から見た状態を基準に、前後、上下、左右を定義する。また、表示体１０を構成するブランクシートにおいて、広告等の情報が表示される側の面を表面、逆側の面を裏面と呼び、図中では、区別のため裏面を網掛けで示す。更に、山折り谷折りで記述する折り曲げ方向はブランクシートの表面側から見た状態を基準とする。
【００１９】
本実施例に係るスタンド付き表示体１０は、図４に示すような一枚のブランクシートを折り曲げることによって立体的に組み立てられる。該ブランクシートは矩形に打ち抜かれた段ボール紙から成り、互いに平行な複数本の境界線によって縦方向に４分割されている。この４分割の区画の各々が、前記のスタンド部１１、第１表示部１２、第２表示部１３、及びフラップ部１４に相当する。
【００２０】
スタンド部１１と第１表示部１２の間の境界線は、一本の折り線１８とその両端に設けられた切り込み線１９、２０で構成されている。第１表示部１２と第２表示部１３の間の境界線は、一本の折り線２１で構成されている。また、第２表示部１３とフラップ部１４の間の境界線は、二本の平行な折り線２２、２３で構成されており、この折り線２２と２３は、ブランクシートの厚さの２倍以上（望ましくは２〜４倍）の距離だけ互いに離間して設けられている。
【００２１】
スタンド部１１は、更に、二本の境界線によって横方向に３分割されている。以下、この３分割された区画のうち、該二本の境界線で挟まれた区画を中央部１５、その左側の区画を左側面部１６、右側の区画を右側面部１７とする。該二本の境界線の上部は、前記スタンド部１１と第１表示部１２の間の境界線と交差する（望ましくは直交する）折り線２４、２５となっており、該二本の境界線の下部は、内側に膨らんだ切り込み線２６、２７となっている。なお、上述のスタンド部１１と第１表示部１２の間の切り込み線１９、２０は、ブランクシートの左右両側から折り線２４、２５に達しており、これにより折り線２４、２５の部分で左側面部１６及び右側面部１７を折り返すことができるようになっている。また、左側面部１６及び右側面部１７の上辺には、フラップ部１４を差し入れるためのスリット状の係止溝２８、２９がそれぞれ設けられている。
【００２２】
上記の折り線１８、２１、２２、２３は、スタンド付き表示体１０の組み立て時には山折りされ、折り畳み時には谷折りされる。一方、折り線２４、２５は、組み立て時に山折りされるのみであって谷折りされることはない。なお、これらの折り線には、予めプレス加工及び／又はミシン目加工が施され、容易に折り曲げることができるようになっている。
【００２３】
ここで、前記ブランクシートにおいて、折り線１８、２１、２２、２３に直交する方向の寸法を長さ、折り線１８、２１、２２、２３に平行な方向の寸法を幅と呼ぶ。本実施例に係るスタンド付き表示体において、スタンド部１１、第１表示部１２、第２表示部１３、及びフラップ部１４は、いずれも同一の幅を有している。これにより、ブランクシートを全体として矩形とすることができ、原紙からブランクシートを打ち抜く際の用紙の無駄を抑えることができる。更に、第１表示部１２と第２表示部１３は、長さも同一であり、スタンド部１１の長さは、第１表示部１２及び第２表示部１３の長さよりも短くなっている。また、フラップ部１４の長さは、スタンド部１１の長さよりも更に短く、前記係止溝２８、２９の長さととほぼ同一である。
【００２４】
上記のようなブランクシートから表示体１０を組み立てる際には、まず、折り線２４、２５を山折りして左側面部１６及び右側面部１７を後方へ折り返し、これらが中央部１５に対して垂直となるようにする。次に、折り線１８、２１を山折りして第２表示部１３を第１表示部１２の後方に回り込ませ、折り線２２、２３を山折りしてフラップ部１４の端縁を左側面部１６及び右側面部１７に設けられた係止溝２８、２９に差し入れる。係止溝２８、２９の幅はブランクシートの厚さよりも僅かに小さくなっているため、該係止溝２８、２９にフラップ部１４を差し入れることにより、左側面部１６、右側面部１７、及びフラップ部１４が互いにロックされる。これにより、第１表示部１２と第２表示部１３が断面山形を成した状態で固定されると共に、左側面部１６、中央部１５、及び右側面部１７が断面コの字型を成した状態で固定される。
【００２５】
なお、上記のように左側面部１６と右側面部１７を後方へ折り返すことにより、前記切り込み線２６、２７で囲まれた領域が前方に突出する。この突出部は、使用時に表示体１０が前後に転倒するのを防止するための足の役割を果たす。
【００２６】
第１表示部１２及び／又は第２表示部１３の表面には、文字、写真、又はイラスト等から成る広告が表示される。これらの広告は、第１表示部１２及び／又は第２表示部１３に直接印刷又は記入してもよく、別の用紙に印刷又は記入した上で、第１表示部１２及び／又は第２表示部１３に貼付してもよい。
【００２７】
本実施例に係るスタンド付き表示体１０は、不使用時には小さく折り畳むことができる。以下、折り畳み手順について図５〜９を用いて説明する。まず、表示体１０を展開した状態で表面を上に向け、折り線１８からスタンド部１１を折り返して第１表示部１２の表面に載せる（図５）。更に、折り線２１から第１表示部１２を折り返し、スタンド部１１及び第１表示部１２を第２表示部１３の表面に載せる（図６）。最後に、折り線２２、２３からフラップ部１４を折り返して第１表示部１２の裏面に載せる（図７）。このとき、折り線２２と２３で挟まれた領域が襠の役割を果たすため、フラップ部１４が開くことなく平坦に折り畳むことができる（図８、９）。
【００２８】
以上により、本実施例に係る表示体１０を両端部が開いた封筒状に折り畳むことができるため、コンパクトに保管することができる。また、上記のように折り畳んだ状態では、スタンド部１１が該封筒の内側に収容され、第１表示部１２、第２表示部１３、及びフラップ部１４の裏面側が外側に露出した状態となるため、表示体１０を外装ケース等に収容しなくても広告面が汚れたり傷ついたりするおそれがない。また、フラップ部１４と第１表示部１２とを粘着テープ等によって互いに固定すれば、そのまま郵便や宅配便等によって搬送することもできる。
【００２９】
以上のように、本実施例に係るスタンド付き表示体は、構造が簡単であるため、安価に製造することができると共に組み立てが容易であり、更に、不使用時には全体を封筒状に折り畳んでコンパクトに保管・搬送することができる。また、使用時には、断面コの字型に形成されたスタンド部１１によって第１表示部１２及び第２表示部１３が支持されると共に、フラップ部１４を係止溝２８、２９に差し込むことにより、第１表示部１２と第２表示部１３が断面山形形状を成した状態で保持されるため、使用時に表示部１２、１３がスタンド部１１との境界から前後に倒れてしまうことがなく、安定して自立させることができる。更に、本実施例に係るスタンド付き表示体１０は、上記のように、ブランクシートの裏面が外側を向くようにして折り畳むことにより広告等が記載された面を保護することができるため、保管や搬送の際に外装ケース等に収容する必要がない。すなわち、本実施例に係るスタンド付き表示体は、表示体と外装ケースを兼ねるものであり、外装ケースを別途用意する場合に比べて、省資源化及び省コスト化を図ることができる。
【００３０】
以上、実施例を用いて本発明を実施するための形態について説明を行ったが、本発明は上記実施例に限定されるものではなく、本発明の趣旨の範囲で適宜変更が許容されるものである。
【００３１】
例えば、本発明に係るスタンド付き表示体を形成する素材は、上記の段ボール紙に限定されず、例えば、厚紙、厚手のプラスチックシート、又はプラスチック段ボール等を用いることもできる。なお、上記シート材として厚紙や厚手のプラスチックシートを使用する場合には、フラップ部と第２表示部の間には必ずしも襠を設ける必要はない。そのため、両者の間の境界線は、上記のような二重の折り線でなく一重の折り線で構成してもよい。
【符号の説明】
【００３２】
１０…表示体
１１…スタンド部
１２…第１表示部
１３…第２表示部
１４…フラップ部
１５…中央部
１６…左側面部
１７…右側面部
１８、２１、２２、２３、２４、２５…折り線
１９、２０、２６、２７…切り込み線
２８、２９…係止溝
【図１】
2011092971.tif 000003
【図２】
2011092971.tif 000004
【図３】
2011092971.tif 000005
【図４】
2011092971.tif 000006
【図５】
2011092971.tif 000007
【図６】
2011092971.tif 000008
【図７】
2011092971.tif 000009
【図８】
2011092971.tif 000010
【図９】
2011092971.tif 000011
【国際調査報告】
2011092971.tif 000012
2011092971.tif 000013
2011092971.tif 000014
2011092971.tif 000015